(57)【要約】【課題】聴衆の好意的な評価に応じて楽曲の演奏時間を延長することができるカラオケ装置を提供する。【解決手段】歌唱者により選曲された楽曲について、演奏開始からの一定時間を最低演奏時間として指定する演奏時間指定部と、選曲された前記楽曲の総演奏時間から前記最低演奏時間を除いた残りの演奏時間を前記歌唱者以外の聴衆の数に応じて分割し、前記楽曲の演奏を延長させるための延長時間を決定する延長時間決定部と、決定された前記延長時間を各聴衆の携帯端末に配信する延長時間配信部と、前記携帯端末から前記延長時間を受信した場合、当該延長時間に応じて前記楽曲の演奏時間を延長する演奏時間延長部と、を有するカラオケ装置。【選択図】図４
2018004965.tif 000002
【特許請求の範囲】
【請求項１】
歌唱者により選曲された楽曲について、演奏開始からの一定時間を最低演奏時間として指定する演奏時間指定部と、
選曲された前記楽曲の総演奏時間から前記最低演奏時間を除いた残りの演奏時間を前記歌唱者以外の聴衆の数に応じて分割し、前記楽曲の演奏を延長させるための延長時間を決定する延長時間決定部と、
決定された前記延長時間を各聴衆の携帯端末に配信する延長時間配信部と、
前記携帯端末から前記延長時間を受信した場合、当該延長時間に応じて前記楽曲の演奏時間を延長する演奏時間延長部と、
を有するカラオケ装置。
【請求項２】
前記延長時間決定部は、前記残りの演奏時間を前記聴衆の数に応じて均等に分割することを特徴とする請求項１記載のカラオケ装置。
【請求項３】
前記延長時間決定部は、前記残りの演奏時間を前記聴衆の数に応じてランダムに分割することを特徴とする請求項１記載のカラオケ装置。
【請求項４】
前記延長時間決定部は、分割した前記残りの演奏時間それぞれに対して所定時間を加算した時間を、前記延長時間として決定することを特徴とする請求項１〜３のいずれか一つに記載のカラオケ装置。
【請求項５】
前記延長時間決定部は、分割された前記残りの演奏時間を更に分割したものを一の前記延長時間として決定することを特徴とする請求項１〜４のいずれか一つに記載のカラオケ装置。
【請求項６】
前記最低演奏時間が経過する前、及び／または前記延長時間に応じて延長された演奏時間が経過する前に、前記携帯端末に対して、前記楽曲の演奏時間を延長するかどうかの問い合わせを行う延長確認部を有し、
前記演奏時間延長部は、前記最低演奏時間の経過時、及び／または延長された前記演奏時間の経過時に受信している前記延長時間に応じて前記楽曲の演奏時間を延長することを特徴とする請求項１〜５のいずれか一つに記載のカラオケ装置。
【請求項７】
前記演奏時間延長部は、複数の聴衆のうち、所定数以上の聴衆から前記延長時間を受信した場合にのみ、受信した前記延長時間を合算して前記楽曲の演奏時間を延長することを特徴とする請求項１〜６のいずれか一つに記載のカラオケ装置。
【請求項８】
カラオケ装置及び携帯端末を含むカラオケシステムであって、
前記カラオケ装置は、
歌唱者により選曲された楽曲について、演奏開始からの一定時間を最低演奏時間として指定する演奏時間指定部と、
選曲された前記楽曲の総演奏時間から前記最低演奏時間を除いた残りの演奏時間を前記歌唱者以外の聴衆の数に応じて分割し、前記楽曲の演奏を延長させるための延長時間を決定する延長時間決定部と、
決定された前記延長時間を各聴衆の前記携帯端末に配信する延長時間配信部と、
前記携帯端末から前記延長時間を受信した場合、当該延長時間に応じて前記楽曲の演奏時間を延長する演奏時間延長部と、
を有し、
前記携帯端末は、
前記延長時間を前記カラオケ装置に送信するための延長処理部を有するカラオケシステム。
【請求項９】
前記延長処理部は、配信された前記延長時間内で指定した任意の時間を前記延長時間として前記カラオケ装置に送信することを特徴とする請求項８記載のカラオケシステム。
【発明の詳細な説明】
【技術分野】
【０００１】
本発明はカラオケ装置及びカラオケシステムに関する。
【０００２】
歌唱者が自己のカラオケ歌唱やパフォーマンスを披露するイベントや番組（たとえば、日本放送協会が放送する歌番組である「ＮＨＫのど自慢」）がある。
【０００３】
このようなカラオケ歌唱は、通常のカラオケ装置やカラオケシステムで行われる機械的な歌唱力の評価ではなく、審査員が歌唱者の歌唱力やパフォーマンスを主観的に審査し、所定のタイミングにて歌唱を終了させるものである。
【０００４】
また、このようなカラオケ歌唱をカラオケシステムとして実現することも検討されている。たとえば、特許文献１には、聴衆が審査員となって歌唱者のカラオケ歌唱を評価するシステムが開示されている。具体的には、歌唱者がカラオケ歌唱を行っているときに、聴衆が歌唱者の歌唱評価を行い、不評評価の場合には自己の通信端末を用いてその旨の入力を行う。そして、カラオケシステムは、不評評価が所定数以上となった場合には楽曲の演奏を終了させる。
【先行技術文献】
【特許文献】
【０００５】
【特許文献１】特開２０１６−７１２５３号公報
【発明の概要】
【発明が解決しようとする課題】
【０００６】
ここで、特許文献１の技術は、聴衆からの不評評価が所定数以上となった時点で楽曲の演奏が強制的に終了される。従って、聴衆の一人がカラオケ歌唱やパフォーマンスに対して好意的であり、引き続きカラオケ歌唱を聴きたいと感じた場合であっても、楽曲の演奏が終了してしまうという問題があった。
【０００７】
本発明の目的は、聴衆の好意的な評価に応じて楽曲の演奏時間を延長することが可能なカラオケ装置及びカラオケシステムを提供することにある。
【課題を解決するための手段】
【０００８】
上記目的を達成するための主たる発明は、歌唱者により選曲された楽曲について、演奏開始からの一定時間を最低演奏時間として指定する演奏時間指定部と、選曲された前記楽曲の総演奏時間から前記最低演奏時間を除いた残りの演奏時間を前記歌唱者以外の聴衆の数に応じて分割し、前記楽曲の演奏を延長させるための延長時間を決定する延長時間決定部と、決定された前記延長時間を各聴衆の携帯端末に配信する延長時間配信部と、前記携帯端末から前記延長時間を受信した場合、当該延長時間に応じて前記楽曲の演奏時間を延長する演奏時間延長部と、を有するカラオケ装置である。
本発明の他の特徴については、後述する明細書及び図面の記載により明らかにする。
【発明の効果】
【０００９】
本発明によれば、聴衆の好意的な評価に応じて楽曲の演奏時間を延長することができる。
【図面の簡単な説明】
【００１０】
【図１】第１実施形態に係るカラオケ装置のハードウェア構成例を示す図である。
【図２】第１実施形態に係る装置本体のハードウェア構成例を示す図である。
【図３】第１実施形態に係る装置本体のソフトウェア構成例を示す図である。
【図４】第１実施形態に係るカラオケ装置の処理を示すフローチャートである。
【図５】第４実施形態に係る装置本体のソフトウェア構成例を示す図である。
【図６】第４実施形態に係るカラオケ装置の処理を示すフローチャートである。
【図７】第５実施形態に係るカラオケ装置の処理を示すフローチャートである。
【図８】第６実施形態に係るカラオケシステムの概略を示す図である。
【図９】第６実施形態に係る携帯端末のハードウェア構成例を示す図である。
【図１０Ａ】第６実施形態に係る携帯端末の表示画面を示す図である。
【図１０Ｂ】第６実施形態に係る携帯端末の表示画面を示す図である。
【図１１】第６実施形態に係るカラオケシステムの処理を示すフローチャートである。
【図１２】第７実施形態に係る携帯端末の表示画面を示す図である。
【発明を実施するための形態】
【００１１】
後述する明細書及び図面の記載から、上記の主たる発明の他、少なくとも以下の事項が明らかとなる。
【００１２】
すなわち、前記延長時間決定部は、前記残りの演奏時間を前記聴衆の数に応じて均等に分割するカラオケ装置が明らかとなる。このようなカラオケ装置によれば、複数の聴衆それぞれに対して延長時間を均等に付与することができる。
【００１３】
一方、前記延長時間決定部は、前記残りの演奏時間を前記聴衆の数に応じてランダムに分割するカラオケ装置であってもよい。このようなカラオケ装置によれば、聴衆によって異なる長さの延長時間を付与することができる。
【００１４】
また、前記延長時間決定部は、分割した前記残りの演奏時間それぞれに対して所定時間を加算した時間を、前記延長時間として決定するカラオケ装置が明らかとなる。このようなカラオケ装置によれば、聴衆の全員が延長時間の入力を行わなかった場合であっても、選曲された楽曲を最後まで演奏できる。
【００１５】
また、前記延長時間決定部は、分割された前記残りの演奏時間を更に分割したものを一の前記延長時間として決定するカラオケ装置が明らかとなる。このようなカラオケ装置によれば、延長時間の入力を一人の聴衆が複数回に渡って行うことができる。
【００１６】
また、前記最低演奏時間が経過する前、及び／または前記延長時間に応じて延長された演奏時間が経過する前に、前記携帯端末に対して、前記楽曲の演奏時間を延長するかどうかの問い合わせを行う延長確認部を有し、前記演奏時間延長部は、前記最低演奏時間の経過時、及び／または延長された前記演奏時間の経過時に受信している前記延長時間に応じて前記楽曲の演奏時間を延長するカラオケ装置が明らかとなる。このようなカラオケ装置によれば、聴衆が演奏の延長を希望する場合に、より確実に演奏時間を延長することができる。
【００１７】
また、前記演奏時間延長部は、複数の聴衆のうち、所定数以上の聴衆から前記延長時間を受信した場合にのみ、受信した前記延長時間を合算して前記楽曲の演奏時間を延長するカラオケ装置が明らかとなる。このようなカラオケ装置によれば、カラオケ歌唱に対する好意的な評価が所定数以上の場合に演奏時間を延長することができる。
【００１８】
更に、カラオケ装置及び携帯端末を含むカラオケシステムであって、前記カラオケ装置は、歌唱者により選曲された楽曲について、演奏開始からの一定時間を最低演奏時間として指定する演奏時間指定部と、選曲された前記楽曲の総演奏時間から前記最低演奏時間を除いた残りの演奏時間を前記歌唱者以外の聴衆の数に応じて分割し、前記楽曲の演奏を延長させるための延長時間を決定する延長時間決定部と、決定された前記延長時間を各聴衆の前記携帯端末に配信する延長時間配信部と、前記携帯端末から前記延長時間を受信した場合、当該延長時間に応じて前記楽曲の演奏時間を延長する演奏時間延長部と、を有し、前記携帯端末は、前記延長時間を前記カラオケ装置に送信するための延長処理部を有するカラオケシステムが明らかとなる。このようなカラオケシステムによれば、聴衆の好意的な評価に応じて楽曲の演奏時間を延長することができる。
【００１９】
また、前記延長処理部は、配信された前記延長時間内で指定した任意の時間を前記延長時間として前記カラオケ装置に送信するカラオケシステムが明らかとなる。このようなカラオケシステムによれば、予め決められた延長時間内において、携帯端末側で任意の延長時間を設定することができる。
【００２０】
＜第１実施形態＞
図１〜図４を参照して、第１実施形態に係るカラオケ装置１について説明する。
【００２１】
＝＝カラオケ装置＝＝
（ハードウェア構成）
カラオケ装置１は、歌唱者が選曲した楽曲のカラオケ演奏及び歌唱者がカラオケ歌唱を行うための装置である。図１に示すように、カラオケ装置１は、カラオケ本体１０、スピーカ２０、表示装置３０、マイク４０、及びリモコン装置５０を備える。
【００２２】
カラオケ本体１０は、予約登録された楽曲の演奏制御、歌詞や背景映像等の表示制御、マイク４０を通じて入力された音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、表示処理部１５及び操作部１６を備える。各構成はインターフェース（図示なし）を介してバスＢに接続されている。
【００２３】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２４】
通信部１２は、ルーター（図示なし）を介してカラオケ本体１０と聴衆の携帯端末３（後述）とを直接、またはサーバ２（後述）を介して間接的に接続するためのインターフェースを提供する。
【００２５】
記憶部１３は、各種のデータを記憶する大容量の記憶装置である。記憶部１３は、カラオケ装置１によりカラオケ演奏を行うための楽曲データを記憶する。楽曲データは、楽曲毎に所定のＩＤ（楽曲ＩＤ）が付与されている。楽曲データは、ＭＩＤＩデータ、リファレンスデータ等が含まれる。リファレンスデータは、楽曲を構成する各音符の音高及び音長を表す時系列の情報によって構成されている。また、記憶部１３は、カラオケ楽曲に対応する歌詞テロップを表示装置３０等に表示させるための歌詞テロップデータ、及びカラオケ演奏時に表示装置３０等に表示される背景画像等の背景画像データを記憶する。
【００２６】
音響処理部１４は、制御部１１の制御に基づき、カラオケ楽曲に対する演奏の制御およびマイク４０を通じて入力された音声信号の処理を行う。
【００２７】
表示処理部１５は、制御部１１の制御に基づき、表示装置３０における各種表示に関する処理を行う。たとえば、表示処理部１５は、カラオケ演奏時における背景映像に歌詞テロップや各種アイコンが重ねられた映像を表示装置３０に表示させる。
【００２８】
操作部１６は、パネルスイッチおよびリモコン受信回路などからなり、歌唱者によるカラオケ装置１のパネルスイッチあるいはリモコン装置５０の操作に応じて予約信号、演奏中止信号などの操作信号を制御部１１に対して出力する。制御部１１は、操作部１６からの操作信号を検出し、対応する処理を実行する。
【００２９】
スピーカ２０は、カラオケ本体１０からの放音信号に基づいて放音するための構成である。表示装置３０はカラオケ本体１０からの信号に基づいて映像や画像を画面に表示するための構成である。マイク４０は入力される歌唱者の声（歌唱音声）等をアナログの音声信号に変換してカラオケ本体１０に入力するための構成である。
【００３０】
リモコン装置５０は、カラオケ本体１０に対する各種操作をおこなうための装置である。歌唱者はリモコン装置５０を用いて楽曲の予約等を行うことができる。リモコン装置５０のディスプレイには各種操作の指示入力を行うためのＧＵＩが表示される。
【００３１】
（カラオケ本体のソフトウェア構成）
図３はカラオケ本体１０のソフトウェア構成例を示す図である。カラオケ本体１０は、演奏時間指定部１００、延長時間決定部２００、延長時間配信部３００、演奏制御部４００を備える。演奏時間指定部１００、延長時間決定部２００、延長時間配信部３００、及び演奏制御部４００は、ＣＰＵ１１ａがメモリ１１ｂに記憶されるプログラムを実行することにより実現される。
【００３２】
なお、本実施形態に係るカラオケ装置１は、以下に説明する構成により専用コンテンツを実現することができる。専用コンテンツは、カラオケ歌唱を行う際に、一定の演奏時間（最低演奏時間）が経過した後は、聴衆の評価によって演奏時間が変わるものである。このようなコンテンツによりカラオケ歌唱の趣向性をより高めることができる。
【００３３】
以下の具体例では、５名の利用者（歌唱者Ａ、聴衆Ｂ〜聴衆Ｅ）が専用コンテンツを利用する例について述べる。５名は、各々の利用者ＩＤでカラオケ装置１にログインする。また、各利用者は、自己の携帯端末３（後述）で専用コンテンツのアプリを立ち上げる（或いは、専用コンテンツのサイトにアクセスする）。
【００３４】
［演奏時間指定部］
演奏時間指定部１００は、歌唱者により選曲された楽曲について、演奏開始からの一定時間を最低演奏時間として指定する。
【００３５】
最低演奏時間は、聴衆の評価に関わらず、楽曲の演奏が行われる最低限の時間である。つまり、少なくとも最低演奏時間の間、歌唱者はカラオケ歌唱を行うことができる。
【００３６】
具体例として、歌唱者Ａは、歌唱を希望する楽曲Ｘをリモコン装置５０等により選曲する。この場合、演奏時間指定部１００は、楽曲Ｘの楽曲データに基づき、演奏開始から一定時間（たとえば、一コーラスが終了するまでの時間）を特定し、当該時間を最低演奏時間として指定する。演奏時間指定部１００は、指定した最低演奏時間を延長時間決定部２００に出力する。この例では、最低演奏時間として１分が指定されたとする。なお、最低演奏時間は、楽曲毎に指定（たとえば、一コーラスが終了するまでの時間）することでもよいし、予め一定の時間（たとえば、１分間）が決定されていてもよい。
【００３７】
［延長時間決定部］
延長時間決定部２００は、選曲された楽曲の総演奏時間から最低演奏時間を除いた残りの演奏時間を歌唱者以外の聴衆の数に応じて分割し、楽曲の演奏を延長させるための延長時間を決定する。
【００３８】
延長時間は、楽曲の演奏を延長させるための時間であり、聴衆の数に応じて割り振られる。従って、聴衆は自己の意思（カラオケ歌唱を好意的に感じた場合）により、延長時間の範囲内で楽曲の演奏を延長させることができる。
【００３９】
上記例において、延長時間決定部２００は、選曲された楽曲Ｘの総演奏時間（たとえば３分）から演奏時間指定部１００で指定された最低演奏時間（１分）を除き、残りの演奏時間（２分）を求める。延長時間決定部２００は、残りの演奏時間（２分）を歌唱者Ａ以外の聴衆の数（聴衆Ｂ〜聴衆Ｅの４名）に応じて分割し、楽曲Ｘの演奏を延長させるための延長時間を決定する。延長時間決定部２００は、決定した延長時間を延長時間配信部３００に出力する。
【００４０】
ここで、残りの演奏時間の分割は様々な方法が考えられる。たとえば、延長時間決定部２００は、残りの演奏時間を聴衆の数に応じて均等に分割することができる。上記例であれば、延長時間決定部２００は、残りの演奏時間（２分）を聴衆の数（４名）で均等に分割する（１名あたり３０秒）。この場合、複数の聴衆それぞれに対して延長時間を均等に付与することができる。従って、楽曲の演奏時間を延長することに関して、聴衆間での不公平が生じない。
【００４１】
一方、延長時間決定部２００は、残りの演奏時間を聴衆の数に応じてランダムに分割することもできる。たとえば、残りの演奏時間が２分の場合、延長時間決定部２００は、聴衆Ｂに５０秒、聴衆Ｃに３０秒、聴衆Ｄに２５秒、聴衆Ｅに１５秒となるよう延長時間を分割することもできる。この場合、聴衆によって異なる長さの延長時間を付与することができる。従って、たとえば、歌唱者Ａは長い延長時間が割り振られた聴衆Ｂに対して積極的にアピールする等、カラオケ歌唱の趣向性をより高めることができる。
【００４２】
［延長時間配信部］
延長時間配信部３００は、決定された延長時間を各聴衆の携帯端末３に配信する。
【００４３】
上記例において、延長時間配信部３００は、決定された延長時間（たとえば、各３０秒）を聴衆Ｂ〜聴衆Ｅそれぞれの携帯端末３に配信する。
【００４４】
［演奏制御部］
演奏制御部４００は、楽曲の演奏等に関する各種制御を行う。たとえば、演奏制御部４００は、歌唱者Ａの選曲した楽曲Ｘの楽曲データに基づいて、音響処理部１４に楽曲Ｘの演奏を開始させる。或いは、リモコン装置５０からの演奏中止指示に基づき、演奏制御部４００は、音響処理部１４に楽曲Ｘの演奏を中止させる。
【００４５】
また、本実施形態に係る演奏制御部４００は、携帯端末３から延長時間を受信した場合、当該延長時間に応じて楽曲の演奏時間を延長する。
【００４６】
上記例で、聴衆Ｂの携帯端末３から延長時間（３０秒）を受信した場合、演奏制御部４００は、楽曲Ｘの演奏時間を３０秒延長させる処理を行う。この場合、最低演奏時間（１分）に延長時間（３０秒）を加えた１分３０秒、楽曲Ｘの演奏がなされる。従って、歌唱者Ｘは１分３０秒間、カラオケ歌唱を行うことができる。また、たとえば、３０秒の延長後に、別の聴衆の携帯端末３から延長時間を受信した場合、更に３０秒の延長を行う（合計の演奏時間は２分）。このように、本実施形態に係る演奏制御部４００は、携帯端末から延長時間を受信した場合、当該延長時間に応じて楽曲の演奏時間を延長する「演奏時間延長部」として機能する。
【００４７】
なお、延長時間の受信がない場合、演奏制御部４００は、音響処理部１４を制御し、最低演奏時間（１分）が経過した時点で楽曲Ｘの演奏を停止させる。
【００４８】
＝＝カラオケ装置の動作について＝＝
次に、図４を参照して本実施形態に係るカラオケ装置１の動作の具体例について述べる。図４は、カラオケ装置１の動作例を示すフローチャートである。この例では、カラオケ装置１の利用者として、５名（歌唱者Ａ、聴衆Ｂ〜聴衆Ｅ）が居る例について述べる。
【００４９】
歌唱者Ａは、歌唱を希望する楽曲Ｘをリモコン装置５０等により選曲する（楽曲の選曲。ステップ１０）。
【００５０】
演奏時間指定部１００は、ステップ１０で選曲された楽曲Ｘについて、演奏開始からの一定時間を最低演奏時間（１分）として指定する（最低演奏時間の指定。ステップ１１）。演奏時間指定部１００は、指定した最低演奏時間を延長時間決定部２００に出力する。
【００５１】
延長時間決定部２００は、選曲された楽曲Ｘの総演奏時間（３分）から最低演奏時間（１分）を除いた残りの演奏時間（２分）を歌唱者Ａ以外の聴衆の数（４名）に応じて分割し、楽曲Ｘの演奏を延長させるための延長時間を決定する（延長時間の決定。ステップ１２）。延長時間決定部２００は、決定した延長時間（この例では各３０秒とする）を延長時間配信部３００に出力する。
【００５２】
延長時間配信部３００は、ステップ１２で決定された延長時間（３０秒）を聴衆Ｂ〜聴衆Ｅの携帯端末３にそれぞれ配信する（延長時間の配信。ステップ１３）。
【００５３】
その後、演奏制御部４００は、楽曲Ｘの演奏を開始する（演奏の開始。ステップ１４）。歌唱者Ａは演奏に合わせてカラオケ歌唱を行う。
【００５４】
ここで、たとえば、聴衆Ｂの携帯端末３から延長時間（３０秒）を受信した場合（ステップ１５でＹの場合）、演奏制御部４００は、当該延長時間に応じて楽曲の演奏時間を延長する（演奏時間の延長。ステップ１６）。
【００５５】
更に、楽曲Ｘの総演奏時間が残っている場合（ステップ１７でＹの場合）であって、別の聴衆Ｃの携帯端末３から延長時間を受信した場合、演奏制御部４００は、当該延長時間に応じて楽曲の演奏時間を更に延長する。
【００５６】
一方、最低演奏時間が経過するまで延長時間の受信が無かった場合（ステップ１５でＮの場合）、或いは楽曲Ｘの総演奏時間が残っていない場合（全ての携帯端末３から延長時間を受信し、演奏時間の延長が行われた場合。ステップ１７でＮの場合）、演奏制御部４００は、楽曲Ｘの演奏を終了させる（演奏の終了。ステップ１８）。
【００５７】
このように本実施形態に係るカラオケ装置１によれば、聴衆の好意的な評価に応じて楽曲の演奏時間を延長することができる。カラオケ装置は、素人がカラオケ歌唱を楽しむために利用されるところ、他人から不評評価を受けることは心地よいものでは無い。すなわち、特許文献１に記載の技術は、誰でも気軽にカラオケ歌唱を楽しむというカラオケ装置本来の目的にそぐわない。一方、本実施形態に係るカラオケ装置１は、特許文献１の技術のように不評評価によって楽曲の演奏を終了させるものでは無く、もっとカラオケ歌唱を聴きたい、或いはパフォーマンスを見たいといった好意的な評価の聴衆が一人でもいれば楽曲の演奏時間を延長することができる。その結果、「ＮＨＫのど自慢」のように、歌唱者の歌唱力だけを評価するのではなく、歌唱者の人柄や歌唱時のパフォーマンス等を考慮した評価を行うことができる。すなわち、機械的な歌唱評価と異なり、歌唱者とって心地よい、人間味のある歌唱評価が可能となる。
【００５８】
＜第２実施形態＞
次に、第２実施形態に係るカラオケ装置１について説明する。本実施形態では、分割した残りの演奏時間に所定時間を加算して延長時間を決定する構成について説明を行う。第１実施形態と同様の構成については詳細な説明を省略する。
【００５９】
第１実施形態のように、残りの演奏時間を聴衆の数に応じて分割することで延長時間を決定した場合、楽曲全ての演奏を行うためには（最後までカラオケ歌唱を行うためには）、聴衆全員からの好意的な評価が必要となる。一方、全ての聴衆を満足させるようなカラオケ歌唱やパフォーマンス等を行うことは困難な場合も多い。
【００６０】
そこで、本実施形態に係る延長時間決定部２００は、分割した残りの演奏時間それぞれに対して所定時間を加算した時間を、延長時間として決定する。
【００６１】
第１実施形態の例で、残りの演奏時間（２分）を聴衆Ｂ〜聴衆Ｅで均等に分割したとする。この場合、延長時間決定部２００は、均等に分割した時間（３０秒）に所定時間（たとえば、３０秒）を加算し、その時間（１分）を延長時間として決定する。この場合、楽曲Ｘの総演奏時間が３分であるため、少なくとも２名の聴衆から好意的な評価が得られれば、楽曲Ｘを最後まで演奏することができる。つまり、歌唱者Ａは楽曲Ｘを最後まで歌唱することができる。
【００６２】
このように、本実施形態に係るカラオケ装置１によれば、聴衆の一部から延長時間を受信することにより（聴衆の一部から好意的な評価を得ることにより）、選曲された楽曲を最後まで演奏することができる。
【００６３】
＜第３実施形態＞
次に、第３実施形態に係るカラオケ装置１について説明する。本実施形態では、分割した残りの演奏時間を更に分割して延長時間を決定する構成について説明を行う。第１実施形態等と同様の構成については詳細な説明を省略する。
【００６４】
たとえば、第１実施形態の例で３０秒の延長時間が決定された場合、各聴衆の携帯端末３から送信される延長時間は常に３０秒となる。すなわち、延長時間は一括で送信されるため、各聴衆は１回の評価しか行うことができない。一方、聴衆によっては決定された延長時間を複数回に分けて送信したい（少しずつ歌唱評価を行いたい）と考える場合もありうる。
【００６５】
そこで、本実施形態に係る延長時間決定部２００は、分割された残りの演奏時間を更に分割したものを一の延長時間として決定する。
【００６６】
第１実施形態の例で、残りの演奏時間（２分）を聴衆Ｂ〜聴衆Ｅで均等に分割したとする。この場合、延長時間決定部２００は、分割した残りの演奏時間（３０秒）を更に分割する。たとえば、延長時間決定部２００は、分割した残りの演奏時間を１５秒、１０秒、５秒の３つに分割する。延長時間決定部２００は、更に分割した時間（複数の延長時間からなるセット）を一の延長時間として決定する。延長時間配信部３００は、このようにして決定された延長時間を各聴衆の携帯端末３に配信する。聴衆は、携帯端末３において、複数の延長時間からなるセットから任意の延長時間を選択することができる。
【００６７】
すなわち、本実施形態のカラオケ装置１によれば、聴衆は延長時間の送信を複数回に分けて行うことができる。たとえば、最初は短い延長時間を送信してカラオケ歌唱を評価し、更にカラオケ歌唱を聴きたいと感じた場合に長い延長時間を送信するといった、バリエーションに富んだカラオケ歌唱の評価が可能となる。
【００６８】
＜第４実施形態＞
次に、図５及び図６を参照して、第４実施形態に係るカラオケ装置１について説明する。本実施形態では、カラオケ装置１が、各聴衆の携帯端末３に対し演奏時間を延長するかどうかの問い合わせ行う構成について説明を行う。第１実施形態等と同様の構成については詳細な説明を省略する。
【００６９】
聴衆がカラオケ歌唱やパフォーマンスに集中していた結果、延長時間の送信が遅れ、最低演奏時間が経過してしまう場合がありうる。また、カラオケ装置１としては、演奏時間の延長を都度行うより、一括で行う方が簡便である。本実施形態に係るカラオケ装置１は、このような課題を解決するための構成を備える。
【００７０】
（カラオケ本体のソフトウェア構成）
図５は本実施形態に係るカラオケ本体１０のソフトウェア構成例を示す図である。カラオケ本体１０は、演奏時間指定部１００、延長時間決定部２００、延長時間配信部３００、演奏制御部４００、延長確認部５００を備える。演奏時間指定部１００、延長時間決定部２００、延長時間配信部３００、演奏制御部４００、及び延長確認部５００は、ＣＰＵ１１ａがメモリ１１ｂに記憶されるプログラムを実行することにより実現される。
【００７１】
［延長確認部］
延長確認部５００は、最低演奏時間が経過する前、及び／または延長時間に応じて延長された演奏時間が経過する前に、携帯端末３に対して、楽曲の演奏時間を延長するかどうかの問い合わせを行う。
【００７２】
第１実施形態の例で、最低演奏時間１分が経過する前の任意の時点（たとえば、演奏開始から４０秒経過時）において、延長確認部５００は、聴衆Ｂ〜聴衆Ｅの携帯端末３に対して、延長の有無を確認するメッセージ（例：「そろそろ演奏が終了します。もっとカラオケ歌唱を聴きたい場合には延長ボタンをクリック」）を配信する。各聴衆の携帯端末３には当該メッセージが表示される（メッセージの表示と共に着信音等が流れることでもよい）。なお、携帯端末３におけるメッセージの表示処理は、携帯端末３の制御部３５（後述）により実行される。
【００７３】
［演奏制御部］
また、本実施形態に係る演奏制御部４００は、最低演奏時間の経過時、及び／または延長された演奏時間の経過時に受信している延長時間に応じて楽曲の演奏時間を延長する。
【００７４】
上記例において、表示されたメッセージを見た聴衆Ｂ及び聴衆Ｅの携帯端末３からそれぞれ延長時間（３０秒）を受信したとする。この場合、演奏制御部４００は、最低演奏時間の経過時にそれらの時間を合算し、楽曲Ｘの演奏時間を１分間延長する。このように、本実施形態に係る演奏制御部４００は、最低演奏時間の経過時、及び／または延長された演奏時間の経過時に受信している延長時間に応じて楽曲の演奏時間を延長する「演奏時間延長部」として機能する。
【００７５】
＝＝カラオケ装置の動作について＝＝
次に、図６を参照して本実施形態に係るカラオケ装置１の動作の具体例について述べる。図６は、カラオケ装置１の動作例を示すフローチャートである。なお、ステップ２０〜２４は、第１実施形態のステップ１０〜１４と同様であるため説明を省略する。
【００７６】
ステップ２４の後、延長確認部５００は、最低演奏時間が経過する前に、各聴衆の携帯端末３に対して、楽曲の演奏時間を延長するかどうかの問い合わせを行う（延長の問い合わせ。ステップ２５）。
【００７７】
ここで、たとえば聴衆Ｂ及び聴衆Ｅの携帯端末３から延長時間（それぞれ３０秒）を受信した場合（ステップ２６でＹの場合）、且つ最低演奏時間の経過時（ステップ２７でＹの場合）、演奏制御部４００は、延長時間を合算して楽曲の演奏時間を延長する（演奏時間の延長。ステップ２８）。
【００７８】
更に、楽曲Ｘの総演奏時間が残っている場合（ステップ２９でＹの場合）、延長確認部５００は、まだ延長時間を受信していない聴衆Ｃ及び聴衆Ｄの携帯端末３に対して問い合わせを行う（再度の問い合わせ。ステップ３０）。この問い合わせに対して、たとえば、聴衆Ｃの携帯端末３から延長時間を受信した場合（ステップ３１でＹの場合）、且つステップ２８で延長された演奏時間の経過時（ステップ３２でＹの場合）、演奏制御部４００は、ステップ２８で延長された演奏時間の経過時に楽曲の演奏時間を更に延長する（演奏時間の再延長。ステップ３３）。
【００７９】
一方、最低演奏時間が経過するまで延長時間の受信が無かった場合（ステップ２６でＮの場合）、延長された演奏時間が経過するまで延長時間の受信が無かった場合（ステップ３１でＮの場合）、或いは楽曲Ｘの総演奏時間が残っていない場合（全ての携帯端末３から延長時間を受信し、演奏時間の延長が行われた場合。ステップ２９でＮの場合）、演奏制御部４００は、楽曲Ｘの演奏を終了させる（演奏の終了。ステップ３４）。
【００８０】
このように、本実施形態のカラオケ装置１によれば、最低演奏時間の経過前、或いは延長された演奏時間の経過前に、各聴衆に対して演奏の延長要否の確認がなされる。従って、聴衆が演奏の延長を希望する場合に、より確実に演奏時間を延長することができる。
【００８１】
＜第５実施形態＞
次に、図７を参照して第５実施形態に係るカラオケ装置１について説明する。本実施形態では、所定数以上の聴衆から延長時間を受信した場合にのみ、演奏時間を延長する構成について説明を行う。第１実施形態等と同様の構成については詳細な説明を省略する。
【００８２】
本実施形態に係る演奏制御部４００は、複数の聴衆のうち、所定数以上の聴衆から延長時間を受信した場合にのみ、受信した延長時間を合算して楽曲の演奏時間を延長する。所定数は、一のカラオケ装置１にログインしている利用者のうち、歌唱者を除く聴衆の数よりも少ない任意の数である。
【００８３】
たとえば、第１実施形態の例において、聴衆Ｂ〜聴衆Ｅのいずれか１名の携帯端末３から延長時間（３０秒）を受信した場合、演奏制御部４００は演奏時間の延長を行っている。一方、本実施形態に係る演奏制御部４００は、たとえば、２名以上の携帯端末３から延長時間（それぞれ３０秒）を受信した場合にのみ、それらの延長時間を合算して（３０秒＋３０秒＝６０秒）、楽曲Ｘの演奏時間を延長する。すなわち、最低演奏時間の経過時までに１名の携帯端末３からしか延長時間を受信しなかった場合、演奏制御部４００は、演奏時間の延長を行わない。このように、本実施形態に係る演奏制御部４００は、複数の聴衆のうち、所定数以上の聴衆から延長時間を受信した場合にのみ、受信した延長時間を合算して楽曲の演奏時間を延長する「演奏時間延長部」として機能する。
【００８４】
＝＝カラオケ装置の動作について＝＝
次に、図７を参照して本実施形態に係るカラオケ装置１の動作の具体例について述べる。図７は、カラオケ装置１の動作例を示すフローチャートである。なお、ステップ４０〜４４は、第１実施形態のステップ１０〜１４と同様であるため説明を省略する。この例では所定数として２名が設定されているとする。
【００８５】
ここで、たとえば、聴衆Ｂ及び聴衆Ｄの携帯端末３から延長時間（それぞれ３０秒）を受信した場合（ステップ４５でＹの場合）、演奏制御部４００は、当該延長時間を合算して楽曲の演奏時間を延長する（演奏時間の延長。ステップ４６）。
【００８６】
更に、楽曲Ｘの総演奏時間が残っている場合（ステップ４７でＹの場合）であって、別の聴衆Ｃ及び聴衆Ｄの携帯端末３から延長時間を受信した場合、演奏制御部４００は、当該延長時間に応じて楽曲の演奏時間を更に延長する。なお、ステップ４５の段階で３名から延長時間を受信した場合、その延長された演奏時間が終了した時点で楽曲Ｘの演奏は終了される。
【００８７】
一方、最低演奏時間が経過するまで所定数以上の延長時間の受信が無かった場合（ステップ４５でＮの場合）、或いは楽曲Ｘの総演奏時間が残っていない場合（ステップ４７でＮの場合）、演奏制御部４００は、楽曲Ｘの演奏を終了させる（演奏の終了。ステップ４８）。
【００８８】
このように、本実施形態のカラオケ装置１によれば、カラオケ歌唱に対する好意的な評価が所定数以上の場合に演奏時間を延長することができる。
【００８９】
＜第６実施形態＞
次に図８〜図１１を参照して、第６実施形態に係るカラオケシステム１０００について説明する。本実施形態は、上記実施形態で説明したカラオケ装置１を含むカラオケシステム１０００について述べる。
【００９０】
図８に示すように、カラオケシステム１０００は、カラオケ装置１、サーバ２及び複数の携帯端末３を備える。なお、本実施形態に係る発明としてのカラオケシステム１０００は、カラオケ装置１及び携帯端末３を含んでいればよい。
【００９１】
＝＝カラオケ装置＝＝
カラオケ装置１はネットワークＮを介してサーバ２及び携帯端末３と通信可能となっている。ネットワークＮは、たとえば公衆電話回線網やインターネット回線である。たとえば、サーバ２からカラオケ装置１にカラオケを行うための楽曲データが送信され、カラオケ装置１が楽曲を演奏することにより、歌唱者はカラオケ歌唱が可能となる。本実施形態に係るカラオケ装置１の構成は、上記実施形態と同様であるため、詳細な説明を省略する。
【００９２】
＝＝サーバ＝＝
サーバ２は、利用者やカラオケ装置２等に関する各種情報を蓄積して管理するコンピュータである。また、本実施形態に係るサーバ２は、カラオケ装置１と携帯端末３との間における情報の送受信を中継する役割を有する。
【００９３】
＝＝携帯端末＝＝
携帯端末３は、ネットワークＮを介してカラオケ装置１及びサーバ２と通信可能となっている。携帯端末３は、一般的なスマートフォン、タブレット端末等である。
【００９４】
図９は携帯端末３のハードウェア構成例を示す図である。携帯端末３は、記憶部３１、通信部３２、操作部３３、表示部３４、及び制御部３５を備える。各構成はインターフェース（図示なし）を介してバスＢに接続されている。
【００９５】
記憶部３１は、各種のデータを記憶する記憶装置である。記憶部３１は、カラオケ装置１の延長時間配信部３００から配信された延長時間を記憶する。
【００９６】
通信部３２は、携帯端末３とカラオケ装置１やサーバ２とを接続するためのインターフェースを提供する。操作部３３は、携帯端末３に各種の操作入力を行うためのボタンやＧＵＩである。表示部３４は、各種の情報を表示させる表示画面を提供する。
【００９７】
制御部３５は、カラオケ装置１から送信される各種情報の処理や、表示部３４における表示処理等、携帯端末３の各種処理を制御する。
【００９８】
制御部３５はＣＰＵおよびメモリ（いずれも図示無し）を備える。ＣＰＵは、メモリに記憶されたプログラムを実行することにより各種の機能を実現する。本実施形態に係る延長処理部３５ａは、制御部３５のＣＰＵがメモリに記憶されている動作プログラムを実行することにより実現される。
【００９９】
延長処理部３５ａは、カラオケ装置１から配信された延長時間に対して各種の処理を行う。たとえば、延長処理部３５ａは、延長時間を受信した場合、表示部３４に演奏を延長させるかどうかを選択するためのアイコンを表示させる。
【０１００】
図１０Ａ及び図１０Ｂは、携帯端末３の表示部３４における画面例を示した図である。図１０Ａに示すように延長処理部３５ａは、現在演奏中の演奏時間を延長できる旨のメッセージＭ、及び延長を指示するためのアイコンＩを表示させる。聴衆は、演奏時間の延長を希望する場合、操作部３３によりアイコンＩを選択する。この場合、延長処理部３５ａは、記憶部３１に記憶された延長時間を読み出し、通信部３２を介してカラオケ装置１に送信する。
【０１０１】
また、第３実施形態のように、複数の延長時間からなるセット（たとえば、１５秒、１０秒、５秒）を受信した場合、延長処理部３５ａは、セットに含まれる延長時間毎にアイコンＩ1〜Ｉ3を表示させることでもよい（図１０Ｂ参照）。この際、図１０Ｂのように具体的な時間を表示する代わりに、「◎」、「○」、「△」といった模式的な表示を行うことでもよい。
【０１０２】
＝＝カラオケ装置の動作について＝＝
次に、図１１を参照して本実施形態に係るカラオケシステム１０００の動作の具体例について述べる。図１１は、カラオケシステム１０００の動作例を示すフローチャートである。なお、ステップ５０〜５４は、第１実施形態のステップ１０〜１４と同様であるため説明を省略する。
【０１０３】
ステップ５３で延長時間の配信を受けた場合、携帯端末３の記憶部３１は、ステップ５３で配信された延長時間を記憶する。また、延長処理部３５ａは、表示部３４に演奏を延長させるかどうかを選択するためのアイコンを表示させる。
【０１０４】
ここで、演奏時間の延長を希望する聴衆が表示部３４に表示されたアイコンを選択した場合（聴衆が歌唱者Ａのカラオケ歌唱をもっと聴きたいと考えた場合。ステップ５５でＹの場合）、延長処理部３５ａは、記憶部３１に記憶されている延長時間（３０秒）をカラオケ装置１に送信する（延長時間の送信。ステップ５６）。一方、最低演奏時間経過時まで演奏の延長を希望しない場合、特段の処理は行われない。
【０１０５】
カラオケ装置１においてステップ５６で送信された延長時間を受信した場合、演奏制御部４００は、当該延長時間に応じて楽曲の演奏時間を延長する（演奏時間の延長。ステップ５７）。
【０１０６】
更に、楽曲Ｘの総演奏時間が残っている場合（ステップ５８でＹの場合）であって、別の携帯端末３から延長時間を受信した場合（ステップ５９でＹの場合）、演奏制御部４００は、当該延長時間に応じて楽曲の演奏時間を更に延長する（演奏時間の再延長。ステップ６０）。
【０１０７】
一方、楽曲Ｘの総演奏時間が残っていない場合（ステップ５８でＮの場合）、或いは延長した演奏時間が経過するまで他の携帯端末３から延長時間の受信が無かった場合（ステップ５９でＮの場合）、演奏制御部４００は、楽曲Ｘの演奏を終了させる（演奏の終了。ステップ６１）。
【０１０８】
このように本実施形態に係るカラオケシステム１０００によれば、聴衆の好意的な評価に応じて楽曲の演奏時間を延長することができる。なお、サーバ２にカラオケ装置１の演奏制御部４００の一部の機能を設けてもよい。たとえば、各携帯端末３から送信された延長時間をサーバ２にて合算後、カラオケ装置１に送信し、受信した延長時間に応じてカラオケ装置１が楽曲の演奏時間を延長させてもよい。
【０１０９】
＜第７実施形態＞
次に、図１２を参照して、第７実施形態に係るカラオケシステム１０００について説明する。
【０１１０】
第３実施形態では、カラオケ装置１側で延長時間を分割する例について述べた。一方、携帯端末３側で延長時間を分割することにより、より細かい延長時間の指定が可能となる。本実施形態ではこのようなカラオケシステム１０００について説明を行う。
【０１１１】
本実施形態に係る延長処理部３５ａは、カラオケ装置１から配信された延長時間内で指定した任意の時間を延長時間としてカラオケ装置１に送信する。
【０１１２】
たとえば、カラオケ装置１（延長時間配信部３００）から携帯端末３に３０秒の延長時間が配信されたとする。この場合に、延長処理部３５ａは、表示部３４に任意の延長時間を指定するためのＧＵＩを表示させる。図１２は、携帯端末３の表示部３４における画面例を示した図である。表示部３４の画面には、配信された延長時間を含む演奏の延長に関するメッセージ、及び任意の延長時間を入力するためのテンキー、入力した時間が表示される表示枠、決定キーが表示されている。聴衆は、操作部３３を介してテンキーを選択し延長したい時間を入力する。入力が完了したら聴衆は、決定キーを選択する。決定キーの選択に基づいて、延長処理部３５ａは入力された延長時間をカラオケ装置１に送信する。なお、延長時間をカラオケ装置１に送信する際には、第６実施形態と同様に、サーバ２にて、各携帯端末から送信された延長時間を合算した延長時間を、カラオケ装置１に送信してもよい。
【０１１３】
このように、本実施形態に係るカラオケシステムによれば、予め決められた延長時間内において、携帯端末３側で任意の延長時間を設定することができる。従って、聴衆はより細かい延長時間を指定することができる。
【０１１４】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【０１１５】
１  カラオケ装置
３  携帯端末
３５ａ  延長処理部
１００  演奏時間指定部
２００  延長時間決定部
３００  延長時間配信部
４００  演奏制御部（演奏時間延長部）
【図１】
2018004965.tif 000003
【図２】
2018004965.tif 000004
【図３】
2018004965.tif 000005
【図４】
2018004965.tif 000006
【図５】
2018004965.tif 000007
【図６】
2018004965.tif 000008
【図７】
2018004965.tif 000009
【図８】
2018004965.tif 000010
【図９】
2018004965.tif 000011
【図１０Ａ】
2018004965.tif 000012
【図１０Ｂ】
2018004965.tif 000013
【図１１】
2018004965.tif 000014
【図１２】
2018004965.tif 000015